(57)【要約】【課題】簡単な構成で、温度調節領域の全域を同一温度にすることが可能な医療用人体温度調節装置を得る。【解決手段】医療用人体温度調節装置のヘッドキャップ１２は人間の身体の頭部を覆うようになっている。ヘッドキャップ１２では第２の流路３２が第１の流路３０に対して平行に配置されており、第１の流路３０の入口３０Ａ側に出口３２Ｂを有し、第１の流路３０の出口３０Ｂ側に入口３２Ａを有し、第１流路３０と第２流路３２とによって対交流式配管が構成されている。このため、第１の流路３０を循環する液体の上流側が第２の流路３２を循環する液体の下流側となると共に、第２の流路３２を循環する液体の上流側が第１の流路３０を循環する液体の下流側となる。この結果、第１の流路３０を循環する液体の上流側と下流側との温度差を、第２の流路３２を循環する液体の上流側と下流側との温度差とで相殺することができる。【選択図】図４
2015008958.tif 000002
【特許請求の範囲】
【請求項１】
人間の身体の少なくとも一部を覆う形状とされた身体装着手段と、
前記身体装着手段に設けられ、入口と出口とを有する第１の流路と、
前記第１の流路と平行に配置され、前記第１の流路の入口側に出口を有し、前記第１の流路の出口側に入口を有する第２の流路と、
前記第１の流路の入口と前記第２の流路の入口とに液体を流入し、前記第１の流路の出口と前記第２の流路の出口とから液体を回収して液体を循環させる循環装置と、
を有する医療用人体温度調節装置。
【請求項２】
前記身体装着手段に設けられ、前記身体装着手段の温度を検知する温度センサと、
前記温度センサの検出温度に基づいて前記液体の温度を所定の温度に調節する温度調節装置と、
を有する請求項１に記載の医療用人体温度調節装置。
【請求項３】
前記身体装着手段は、弾性体から成るチューブで構成された前記第１の流路と前記第２の流路とを保冷剤で結合させて成形した請求項１または請求項２に記載の医療用人体温度調節装置。
【請求項４】
前記身体装着手段が第１温度センサを設けた第１身体装着手段と、第２温度センサを設けた第２身体装着手段と、を有し、前記循環装置が前記第１身体装着手段と前記第２身体装着手段とに液体を循環させると共に、前記温度調節装置が前記第１温度センサの検出温度に基づいて前記第１身体装着手段を循環する液体の温度を所定の温度に調節する第１温度調節装置と、前記第２温度センサの検出温度に基づいて前記第２身体装着手段を循環する液体の温度を所定の温度に調節する第２温度調節装置と、を有する請求１〜３の何れか１項に記載の医療用人体温度調節装置。
【発明の詳細な説明】
【技術分野】
【０００１】
本発明は、例えば、化学療法等の治療を受ける人間の身体の一部の温度を調節する医療用人体温度調節装置に関するものである。
【背景技術】
【０００２】
特許文献１には、人の頭皮の温度を調節するための調節装置が開示されている。この調節装置では、頭部カバーの流路が複数のセクションチャンバによって構成されており、温度センサが局部温度をモニタするためにセクションチャンバの各々に取り付けられている。また、セクションチャンバの各々を通って流動する冷却液の温度、流量をモニタの結果に応じて独立して調節可能となっている。
【先行技術文献】
【特許文献】
【０００３】
【特許文献１】特開２００８−２０６９９８号公報
【発明の概要】
【発明が解決しようとする課題】
【０００４】
しかしながら、特許文献１においては、冷却液が流動する流路の上流側においては温度が低くなり、冷却液が流動する流路の下流側においては温度が高くなる。このため、温度調節領域の全域で同一温度にすることが困難であった。
【０００５】
本発明は上記事実を考慮し、簡単な構成で、温度調節領域の全域を同一温度にすることが可能な医療用人体温度調節装置を得ることを課題とする。
【課題を解決するための手段】
【０００６】
請求項１に記載の発明の医療用人体温度調節装置は、人間の身体の少なくとも一部を覆う形状とされた身体装着手段と、前記身体装着手段に設けられ、入口と出口とを有する第１の流路と、前記第１の流路と平行に配置され、前記第１の流路の入口側に出口を有し、前記第１の流路の出口側に入口を有する第２の流路と、前記第１の流路の入口と前記第２の流路の入口とに液体を流入し、前記第１の流路の出口と前記第２の流路の出口とから液体を回収して液体を循環させる循環装置と、を有する。
【０００７】
請求項１に記載の発明の医療用人体温度調節装置では、人間の身体の少なくとも一部を覆う形状とされた身体装着手段に設けられた第１の流路の入口と第２の流路の入口とに循環装置から液体が流入され、第１の流路と第２の流路とを流れた液体が、第１の流路の出口と第２の流路の出口から循環装置に回収される。この際、第２の流路が第１の流路に対して平行に配置されており、第１の流路の入口側に出口を有し、第１の流路の出口側に入口を有する。このため、第１の流路を循環する液体の上流側が第２の流路を循環する液体の下流側となると共に、第２の流路を循環する液体の上流側が第１の流路を循環する液体の下流側となる。この結果、第１の流路を循環する液体の上流側と下流側との温度差を、第２の流路を循環する液体の上流側と下流側との温度差とで相殺することができる。この結果、簡単な構成で、温度調節領域の全域を同一温度にすることが可能になる。
【０００８】
請求項２に記載の発明は、請求項１に記載の医療用人体温度調節装置において、前記身体装着手段に設けられ、前記身体装着手段の温度を検知する温度センサと、前記温度センサの検出温度に基づいて前記液体の温度を所定の温度に調節する温度調節装置と、を有する。
【０００９】
請求項２に記載の発明の医療用人体温度調節装置では、人間の身体の少なくとも一部を覆う形状とされた身体装着手段に設けられた第１の流路の入口と第２の流路の入口とに循環装置から液体が流入され、第１の流路と第２の流路とを流れた液体が、第１の流路の出口と第２の流路の出口から循環装置に回収される。また、身体装着手段に設けられた温度センサが身体装着手段の温度を検知し、温度調節装置が温度センサの検出温度に基づいて液体の温度を所定の温度に調節する。この際、第２の流路が第１の流路に対して平行に配置されており、第１の流路の入口側に出口を有し、第１の流路の出口側に入口を有する。このため、第１の流路を循環する液体の上流側が第２の流路を循環する液体の下流側となると共に、第２の流路を循環する液体の上流側が第１の流路を循環する液体の下流側となる。この結果、第１の流路を循環する液体の上流側と下流側との温度差を、第２の流路を循環する液体の上流側と下流側との温度差とで相殺することができる。この結果、簡単な構成で、温度調節領域の全域を同一温度にすることが可能になる。
【００１０】
請求項３に記載の発明は、請求項１または請求項２に記載の医療用人体温度調節装置において、前記身体装着手段は、弾性体から成るチューブで構成された前記第１の流路と前記第２の流路とを保冷剤で結合させて成形した。
【００１１】
請求項３に記載の発明の医療用人体温度調節装置では、身体装着手段は、弾性体から成るチューブで構成された第１の流路と第２の流路とを保冷剤で結合させて成形している。このため、成形型で流路を製造する構造に比べて製造が容易であると共に、人間の身体の形状に対応して変形し易いため、身体への装着性能が向上する。また、液体が循環する際に、第１の流路と第２の流路とが膨張可能であるため、同一圧力の循環装置に対して液体の流量が多くなる。また、第１の流路と第２の流路とを保冷剤で結合させている。このため、温度調節領域の全域を短時間で同一温度にすることが可能になる。
【００１２】
請求項４に記載の発明は、請求項１〜３の何れか１項に記載の医療用人体温度調節装置において、前記身体装着手段が第１温度センサを設けた第１身体装着手段と、第２温度センサを設けた第２身体装着手段と、を有し、前記循環装置が前記第１身体装着手段と前記第２身体装着手段とに液体を循環させると共に、前記温度調節装置が前記第１温度センサの検出温度に基づいて前記第１身体装着手段を循環する液体の温度を所定の温度に調節する第１温度調節装置と、前記第２温度センサの検出温度に基づいて前記第２身体装着手段を循環する液体の温度を所定の温度に調節する第２温度調節装置と、を有する。
【００１３】
請求項４に記載の発明の医療用人体温度調節装置では、第１身体装着手段で人間の身体の一部を覆い、第２身体装着手段で人間の身体の他の一部を覆うことができる。また、循環装置が第１身体装着手段と第２身体装着手段とに液体を循環させると共に、第１温度調節装置が、第１身体装着手段に設けた第１温度センサの検出温度に基づいて第１身体装着手段を循環する液体の温度を所定の温度に調節し、第２温度調節装置が、第２身体装着手段に設けた第２温度センサの検出温度に基づいて第２身体装着手段を循環する液体の温度を所定の温度に調節する。このため、１つの循環装置によって２つの身体装着手段に液体を循環させることができる。この結果、装置の部品点数が少なくなり小型化が可能になる。
【発明の効果】
【００１４】
請求項１に記載の本発明の医療用人体温度調節装置は、上記構成としたので、簡単な構成で、温度調節領域の全域を同一温度にすることがきる。
【００１５】
請求項２に記載の本発明の医療用人体温度調節装置は、上記構成としたので、簡単な構成で、温度調節領域の全域を同一温度にすることがきる。
【００１６】
請求項３に記載の本発明の医療用人体温度調節装置は、上記構成としたので、製造が容易で身体への装着性能が向上すると共に温度調節領域の全域を短時間で同一温度にすることが可能になる。
【００１７】
請求項４に記載の本発明の医療用人体温度調節装置は、上記構成としたので、装置の小型化が可能になる。
【図面の簡単な説明】
【００１８】
【図１】本発明の一実施形態に係る医療用人体温度調節装置を示す概略構成図である。
【図２】本発明の一実施形態に係る医療用人体温度調節装置の冷却チラーの背面を示す概略図である。
【図３】本発明の一実施形態に係る医療用人体温度調節装置の冷却チラーを示すブロック図である。
【図４】本発明の一実施形態に係る医療用人体温度調節装置のヘッドキャップを示す構成図である。
【図５】図４の５−５断面線に沿った拡大断面図である。
【図６】図５の６−６断面線に沿った拡大断面図である。
【図７】本発明の一実施形態に係る医療用人体温度調節装置のネイルグローブを示す構成図である。
【発明を実施するための形態】
【００１９】
（実施形態）
次に、本発明の一実施形態を図１〜図７に従って説明する。
なお、図中、同一又は対応する機能を有する部材（構成要素）には同じ符号を付して適宜説明を省略する。
【００２０】
図１に示すように、本実施形態の医療用人体温度調節装置１０は、化学療法等の治療を受ける人間の身体Ｓの一部としての例えば、頭部Ｓ１と手の指先Ｓ２の温度を調節するための装置である。この医療用人体温度調節装置１０は、身体装着手段を構成する第１身体装着手段としてのヘッドキャップ１２と、同じく身体装着手段を構成する第２身体装着手段としての左右のネイルグローブ１４と、を備えている。また、医療用人体温度調節装置１０は、ヘッドキャップ１２とネイルグローブ１４とに所定の温度に調節した液体、例えば、不凍液を循環させるための冷却チラー１６を備えている。この冷却チラー１６の上面には、電源スイッチ１６Ａ、操作パネル１６Ｂが配置されていると共に給液口１６Ｃが形成されており、操作パネル１６Ｂを操作することで、ヘッドキャップ１２と左右のネイルグローブ１４の各温度設定や、使用する人間の情報等を入力できるようになっている。また、冷却チラー１６の前面下部には吸気口１６Ｄが形成されている。
【００２１】
図２に示すように、冷却チラー１６の後面には、ヘッドキャップ１２の温度信号の有無を表示する温度信号表示部１６Ｅ、ネイルグローブ１４の温度信号の有無を表示する温度信号表示部１６Ｆ、ヘッドキャップ１２を接続するヘッドキャップ接続部１６Ｇ、ネイルグローブ１４を接続するネイルグローブ接続部１６Ｈ、水位計１６Ｊ、排気口１６Ｋ、電源コネクタ１６Ｌ、ドレン口１６Ｍが形成されている。
【００２２】
図３に示すように、冷却チラー１６は、ヘッドキャップ１２とネイルグローブ１４とに液体を循環させるための循環装置としての１個のポンプ１８と、ヘッドキャップ１２に循環させる液体の温度を所定の温度に調節するための第１温度調節装置としての温度調節装置２０と、ネイルグローブ１４に循環させる各液体の温度を所定の温度に調節するための第２温度調節装置としての温度調節装置２２とを備えている。
【００２３】
図４に示すように、ヘッドキャップ１２の内側部、即ち、頭部Ｓ１側となる部位にはヘッドキャップ１２内部の温度を検知する第１温度センサとしての前頭部温度センサ３６、頂頭部温度センサ３８、左右の側頭部温度センサ４０の４個の温度センサが設けられている。また、前頭部温度センサ３６は頭部Ｓ１の前頭部に対応する部位、頂頭部温度センサ３８は頭部Ｓ１の頂頭部に対応する部位、左右の側頭部温度センサ４０は頭部Ｓ１の左右の側頭部に対応する部位にそれぞれ取付けられている。また、ヘッドキャップ１２の前頭部温度センサ３６、頂頭部温度センサ３８、左右の側頭部温度センサ４０はそれぞれケーブル４４によって冷却チラー１６の温度調節装置２０に接続されており、前頭部温度センサ３６、頂頭部温度センサ３８、左右の側頭部温度センサ４０からの検出温度を温度調節装置２０（図３参照）に出力するようになっている。
【００２４】
図７に示すように、左右のネイルグローブ１４の内周部にはネイルグローブ１４内部の温度を検知する第２温度センサとしての指先温度センサ５４が設けられている。この指先温度センサ５４は中指の爪に対応する部位に取付けられている。左右のネイルグローブ１４の指先温度センサ５４はケーブル５６によって冷却チラー１６の温度調節装置２２に接続されており、図７に示す指先温度センサ５４の検出温度を温度調節装置２２に出力するようになっている。
【００２５】
図３に示すように、温度調節装置２０、２２は、凝縮器、吸気ファン、ドライヤ、コンプレッサー、蒸発器、ヘッド加熱制御弁、ネイル加熱交換器、ネイル加熱制御弁等を備えている。なお、温度調節装置２０、２２は周知の構成のため、詳細な説明は省略する。
【００２６】
温度調節装置２０は、前頭部温度センサ３６、頂頭部温度センサ３８、左右の側頭部温度センサ４０の各検出温度に基づいてヘッドキャップ１２を循環する液体の温度を所定の温度（例えば、−５℃）に調節するようになっている。一方、温度調節装置２２は、指先温度センサ５４の検出温度に基づいてネイルグローブ１４を循環する液体の温度を所定の温度（例えば、０℃）に調節するようになっている。
【００２７】
即ち、温度調節装置２０は前頭部温度センサ３６、頂頭部温度センサ３８、左右の側頭部温度センサ４０の検出温度に基づいて、ヘッドキャップ１２の第１流路３０と第２流路３２を循環する液体の温度を所定の温度に調節するようになっている。一方、温度調節装置２２は指先温度センサ５４の検出温度に基づいて、左右のネイルグローブ１４の第１流路５０と第２流路５２を循環する液体の温度を所定の温度に調節するようになっている。
【００２８】
図１に示すように、ヘッドキャップ１２は液体送り配管４５と液体戻り配管４７によって冷却チラー１６のポンプ１８（図３参照）に接続されている。また、左右のネイルグローブ１４は液体送り配管５７と液体戻り配管５９によって冷却チラー１６のポンプ１８（図３参照）に接続されている。なお、図３に示すように、ポンプ１８に連結された流路には、最低流量維持用オリフィス、ネイル側流量調節弁、圧力センサ等が設けられている。
【００２９】
図４に示すように、ヘッドキャップ１２は第１流路３０と第２流路３２を備えており、第２流路３２は第１流路３０と平行に配置されている。また、第１の流路３０の入口３０Ａ側が第２流路３２の出口３２Ｂとなっており、第１の流路３０の出口３０Ｂ側が第２流路３２の入口３２Ａとなっている。なお、第１の流路３０の入口３０Ａと第２の流路３２の入口３２Ａは、液体送り配管４５に着脱可能に接続されており、第１の流路３０の出口３０Ｂと第２の流路３２の出口３２Ｂは、液体戻り配管４７に着脱可能に接続されている。
【００３０】
従って、図６に示すように、第１流路３０の内部の液体の流れ方向（矢印Ａ方向）と、第２流路３２の内部の液体の流れ方向（矢印Ｂ方向）とが反対方向となっており、第１流路３０と第２流路３２とによって対交流式配管を構成している。
【００３１】
図４に示すように、第１流路３０と第２流路３２は、ヘッドキャップ１２の後側に形成された下方への突出部１２Ａにおいては、頭部周方向（左右方向）に沿って延設され両端で折り返されて上方へ延びている。また、ヘッドキャップ１２における突出部１２Ａを除いた上部１２Ｂでは、頭部周方向に沿って螺旋状に下方から上方へ延設され、上端で折り返され螺旋状に上方から下方へ延設されている。
【００３２】
図５に示すように、第１流路３０と第２流路３２は弾性体としてのシリコンから成るチューブで構成されており、断面形状は円形となっている。また、隣接する各第１流路３０と各第２流路３２は保冷剤３４で互いに結合させており、ヘッドキャップ１２はシリコンから成るチューブと保冷剤３４とによって頭部Ｓ１に対応した形状に成形されている。なお、ヘッドキャップ１２の外周部を、図示を省略した布や樹脂から成る表皮部材で覆い保温性を向上させた構成としてもよい。
【００３３】
図７に示すように、左右のネイルグローブ１４はヘッドキャップ１２と同様に第１流路５０と第２流路５２を備えており、第２流路５２は第１流路５０と平行に配置されている。また、第１の流路５０の入口５０Ａ側が第２流路５２の出口５２Ｂとなっており、第１の流路５０の出口５０Ｂ側が第２流路５２の入口５２Ａとなっている。なお、第１の流路５０の入口５０Ａと第２の流路５２の入口５２Ａは、液体送り配管５７に着脱可能に接続されており、第１の流路５０の出口５０Ｂと第２の流路５２の出口５２Ｂは、液体戻り配管５９に着脱可能に接続されている。
【００３４】
第１流路５０と第２流路５２は、左右のネイルグローブ１４の先端部１４Ａの爪に対応する側において手の幅方向に向かって延設され幅方向両端で折り返されて先端方向へ延びている。また、左右のネイルグローブ１４はヘッドキャップ１２と同様に、第１流路５０と第２流路５２とが弾性体としてのシリコンから成るチューブで構成されており、断面形状は円形となっている。また、第１流路５０と第２流路５２は保冷剤で互いに結合させており、左右のネイルグローブ１４はシリコンから成るチューブと保冷剤とによって手の指先Ｓ２に対応した形状に成形されている。なお、左右のネイルグローブ１４の外周部を、図示を省略した布や樹脂から成る表皮部材で覆い保温性を向上させた構成としてもよい。
【００３５】
（作用・効果）
次に、本実施形態の医療用人体温度調節装置１０の作用及び効果について説明する。
本実施形態の医療用人体温度調節装置１０では、図１に示すように、ヘッドキャップ１２が人間の身体Ｓの頭部Ｓ１を覆う形状とされている。また、図４に示すように、ヘッドキャップ１２に設けられた第１の流路３０の入口３０Ａと第２の流路３２の入口３２Ａとに、図３に示す冷却チラー１６のポンプ１８から液体が流入される。また、ヘッドキャップ１２の第１の流路３０と第２の流路３２とを流れた液体は、第１の流路３０の出口３０Ｂと第２の流路３２の出口３２Ｂからポンプ１８に回収される。さらに、図４に示すように、ヘッドキャップ１２に設けられた前頭部温度センサ３６、頂頭部温度センサ３８、左右の側頭部温度センサ４０がヘッドキャップ１２の内部の温度を検知し、図３に示す冷却チラー１６の温度調節装置２０が前頭部温度センサ３６、頂頭部温度センサ３８、左右の側頭部温度センサ４０の検出温度に基づいて液体の温度を所定の温度に調節する。具体的には、温度調節装置２０は、前頭部温度センサ３６、頂頭部温度センサ３８、左右の側頭部温度センサ４０の各検出温度を平均化した温度に基づいて液体の温度を所定の温度に調節する。
【００３６】
一方、図１に示すように、ネイルグローブ１４は人間の身体Ｓの手の指先Ｓ２を覆う形状とされている。また、図７に示すように、ネイルグローブ１４に設けられた第１の流路５０の入口５０Ａと第２の流路５２の入口５２Ａとに、図３に示す冷却チラー１６のポンプ１８から液体が流入される。また、ネイルグローブ１４の第１の流路５０と第２の流路５２とを流れた液体は、第１の流路５０の出口５０Ｂと第２の流路５２の出口５２Ｂからポンプ１８に回収される。さらに、図７に示すように、ネイルグローブ１４に設けられた指先温度センサ５４がネイルグローブ１４の内部の温度を検知し、図３に示す冷却チラー１６の温度調節装置２２が指先温度センサ５４の検出温度に基づいて液体の温度を所定の温度に調節する。具体的には、ネイルグローブ１４の設定温度は、ヘッドキャップ１２の設定温度から、＋２０℃までの範囲で設定可能となっており、温度調節装置２２は、左右のネイルグローブ１４の指先温度センサ５４の値を平均化した温度に基づいて液体の温度を所定の温度に調節する。
【００３７】
この際、ヘッドキャップ１２では第２の流路３２が第１の流路３０に対して平行に配置されており、第１の流路３０の入口３０Ａ側に出口３２Ｂを有し、第１の流路３０の出口３０Ｂ側に入口３２Ａを有し、第１流路３０と第２流路３２とによって対交流式配管が構成されている。このため、第１の流路３０を循環する液体の上流側が第２の流路３２を循環する液体の下流側となると共に、第２の流路３２を循環する液体の上流側が第１の流路３０を循環する液体の下流側となる。この結果、第１の流路３０を循環する液体の上流側と下流側との温度差を、第２の流路３２を循環する液体の上流側と下流側との温度差とで相殺することができる。
【００３８】
同様に、ネイルグローブ１４では第２の流路５２が第１の流路５０に対して平行に配置されており、第１の流路５０の入口５０Ａ側に出口５２Ｂを有し、第１の流路５０の出口５０Ｂ側に入口５２Ａを有し、第１流路５０と第２流路５２とによって対交流式配管が構成されている。このため、第１の流路５０を循環する液体の上流側が第２の流路５２を循環する液体の下流側となると共に、第２の流路５２を循環する液体の上流側が第１の流路５０を循環する液体の下流側となる。この結果、第１の流路５０を循環する液体の上流側と下流側との温度差を、第２の流路５２を循環する液体の上流側と下流側との温度差とで相殺することができる。
【００３９】
この結果、本実施形態の医療用人体温度調節装置１０では、簡単な構成でヘッドキャップ１２とネイルグローブ１４の各温度調節領域の全域を同一温度にすることが可能になる。
【００４０】
また、本実施形態の医療用人体温度調節装置１０では、ヘッドキャップ１２とネイルグローブ１４とがシリコンから成るチューブで構成された第１の流路３０、５０と第２の流路３２、５２とを保冷剤３４で結合し成形されている。このため、成形型で流路を製造する構造に比べて製造が容易であると共に、それぞれの人間の身体Ｓの頭部Ｓ１と手の指先Ｓ２の形状に対応して変形し易いため、頭部Ｓ１と手の指先Ｓ２への装着性能が向上する。また、液体が循環する際に、第１の流路３０、５０と第２の流路３２、５２とが膨張可能であるため、同一圧力のポンプ１８に対して液体の流量が多くなる。また、第１の流路３０、５０と第２の流路３２、５２とを保冷剤３４で結合している。このため、ヘッドキャップ１２とネイルグローブ１４の各温度調節領域の全域を短時間で同一温度にすることが可能になる。1
【００４１】
また、本実施形態の医療用人体温度調節装置１０では、１つのポンプ１８でヘッドキャップ１２とネイルグローブ１４とに液体を循環させる。このため、医療用人体温度調節装置１０の部品点数が少なくなり小型化が可能になる。
【００４２】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、温度調節装置２０、２２、前頭部温度センサ３６、頂頭部温度センサ３８、左右の側頭部温度センサ４０、指先温度センサ５４を使用した。これに代えて、ヘッドキャップ１２とネイルグローブ１４とを循環する所定温度の液体をそれぞれ外部よりポンプ１８に供給可能な場合等には、各温度センサと各温度調節装置を設けない構成としてもよい。
【００４３】
また、上記実施形態では、身体装着手段を構成する第１身体装着手段としてのヘッドキャップ１２と、身体装着手段を構成する第２身体装着手段としての左右のネイルグローブ１４と、を備えている。これに代えて、身体装着手段を第１身体装着手段としてのヘッドキャップ１２と、第２身体装着手段としての左右のネイルグローブ１４との一方のみとする構成としてもよい。また、人間の身体Ｓの脚部等の他の部位を覆う第３身体装着手段等の３つ以上の身体装着手段を有する構成としてもよいし、身体装着手段が人間の身体Ｓの全体を覆う構成としてもよい。
【００４４】
また、上記実施形態では、第１流路３０、５０と第２流路３２、５２とを弾性体としてのシリコンから成るチューブで構成したが、第１流路３０、５０と第２流路３２、５２とをシリコン以外の樹脂、ゴム等から成る他の弾性体のチューブで構成した構成としてもよい。
【００４５】
また、第１身体装着手段としてのヘッドキャップ１２における第１流路３０と第２流路５２との配置、及び、第２身体装着手段としての左右のネイルグローブ１４とにおける第１流路、５０と第２流路５２との配置は、上記実施形態に限定されない。例えば、上記実施形態では、ヘッドキャップ１２において、第１流路３０と第２流路３２を図４に示すように配置したが、これに代えて、第１流路３０と第２流路３２を、ヘッドキャップ１２の上下方向に沿って配置し、ヘッドキャップ１２の下端と上端との間で折り返しながらヘッドキャップ１２の周方向に配列した構成等の他の配置としてもよい。同様に、左右のネイルグローブ１４においては、図７に代えて、第１流路５０と第２流路５２を、手の指に沿った方向に延設し、指の先端と中間との間で折り返しながら左右のネイルグローブ１４の幅方向に配列した構成としてもよい。
【００４６】
また、上記実施形態では、温度調節装置２０がヘッドキャップ１２を循環する液体の温度を所定の温度（例えば、−５℃）に調節すると共に、温度調節装置２２がネイルグローブ１４を循環する液体の温度を所定の温度（例えば、０℃）に調節し、頭部Ｓ１と手の指先Ｓ２とを冷やす構成とした。これに代えて、人間の身体Ｓの腕部等の部位を覆う身体装着手段に対しては、温度調節装置によって循環する液体の温度を所定の温度（例えば、４０℃）に調節し、腕部等の部位を温める構成としてもよい。
【符号の説明】
【００４７】
１０    医療用人体温度調節装置
１２    ヘッドキャップ（身体装着手段、第１身体装着手段）
１４    ネイルグローブ（身体装着手段、第２身体装着手段）
１６    冷却チラー
１８    ポンプ（循環装置）
２０    温度調節装置（第１温度調節装置）
２２    温度調節装置（第２温度調節装置）
３０    第１流路
３２    第２流路
３４    保冷剤
３６    前頭部温度センサ（第１温度センサ）
３８    頂頭部温度センサ（第１温度センサ）
４０    左右の側頭部温度センサ（第１温度センサ）
５０    第１流路
５２    第２流路
５４    指先温度センサ（第２温度センサ）
【図１】
2015008958.tif 000003
【図２】
2015008958.tif 000004
【図３】
2015008958.tif 000005
【図４】
2015008958.tif 000006
【図５】
2015008958.tif 000007
【図６】
2015008958.tif 000008
【図７】
2015008958.tif 000009